(57)【要約】【課題】表示装置の画像処理プロセッサを表示に用いる場合において、端末装置と表示装置の接続後により短時間で画像を表示することのできる技術を提供する。【解決手段】端末装置は、制御部と第１画像処理プロセッサを有し、表示装置は、第２画像処理プロセッサ、表示部、及び、切り替え部を有し、制御部は、第２画像処理プロセッサへの指示のための前処理を行うと共に、第１画像処理プロセッサに表示用画像データから第１画像信号を生成する指示を行い、前処理の完了後に、第２画像処理プロセッサに上記表示用画像データから第２画像信号を生成する指示を行い、切り替え部は、少なくとも第２画像処理プロセッサで画像信号が生成されるまで、表示部に、第１画像信号に基づく画像を表示させ、第２画像信号が生成された後に、表示部で表示する画像を第１画像信号に基づく画像から第２画像信号に基づく画像に切り替える。【選択図】図１
2014085861.tif 000002
【特許請求の範囲】
【請求項１】
端末装置と表示装置を有する表示システムであって、
前記端末装置は、
画像処理プロセッサに画像データから画像信号を生成する指示を行う制御部と、
前記制御部からの指示に応じて画像データから画像信号を生成する第１画像処理プロセッサと、
を有し、
前記表示装置は、
前記制御部からの指示に応じて画像データから画像信号を生成する第２画像処理プロセッサと、
画像信号に基づく画像を表示する表示部と、
前記表示部で表示する画像を、前記第１画像処理プロセッサで生成された画像信号に基づく画像と、前記第２画像処理プロセッサで生成された画像信号に基づく画像との間で切り替える切り替え部と、
を有し、
前記制御部は、
前記端末装置が前記表示装置に接続された際に、前記第１画像処理プロセッサと前記第２画像処理プロセッサのどちらの画像処理プロセッサを用いるかを判断し、
前記第２画像処理プロセッサを用いると判断した場合に、前記第２画像処理プロセッサに前記指示を行うための前処理を行うと共に、前記第１画像処理プロセッサに、表示用画像データから画像信号を生成する指示を行い、前記前処理が完了した後に、前記第２画像処理プロセッサに、前記表示用画像データから画像信号を生成する指示を行い、
前記切り替え部は、
少なくとも前記第２画像処理プロセッサで画像信号が生成されるまで、前記表示部に、前記第１画像処理プロセッサで生成された画像信号に基づく画像を表示させ、
前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に切り替える
ことを特徴とする表示システム。
【請求項２】
前記制御部は、前記第２画像処理プロセッサと前記第１画像処理プロセッサのうち、より性能が高い方の画像処理プロセッサを用いると判断する
ことを特徴とする請求項１に記載の表示システム。
【請求項３】
前記表示装置は、前記第２画像処理プロセッサで生成される画像信号と、前記第１画像処理プロセッサで生成される画像信号との同期をとる同期処理を行う同期部をさらに有する
ことを特徴とする請求項１または２に記載の表示システム。
【請求項４】
前記切り替え部は、前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に徐々に変化させる
ことを特徴とする請求項１〜３のいずれか１項に記載の表示システム。
【請求項５】
前記端末装置は、前記第２画像処理プロセッサが画像信号を生成する際に使用する処理パラメータを前記表示装置から取得する取得部をさらに有し、
前記第１画像処理プロセッサは、前記取得部で取得された処理パラメータを用いて画像信号を生成する
ことを特徴とする請求項１〜４のいずれか１項に記載の表示システム。
【請求項６】
前記処理パラメータは、画像信号の輝度特性と色特性の少なくともいずれかを決めるパラメータである
ことを特徴とする請求項５に記載の表示システム。
【請求項７】
少なくとも、前記端末装置から前記表示装置への画像信号の伝送と、前記端末装置から前記表示装置への前記指示の伝送とは１本のケーブルを用いて行われる
ことを特徴とする請求項１〜６のいずれか１項に記載の表示システム。
【請求項８】
前記ケーブルは、Ｔｈｕｎｄｅｒｂｏｌｔ（登録商標）ケーブルである
ことを特徴とする請求項７に記載の表示システム。
【請求項９】
表示装置に接続可能な端末装置であって、
画像処理プロセッサに画像データから画像信号を生成する指示を行う制御部と、
前記制御部からの指示に応じて画像データから画像信号を生成する第１画像処理プロセッサと、
を有し、
前記表示装置は、前記制御部からの指示に応じて画像データから画像信号を生成する第２画像処理プロセッサを有し、
前記制御部は、
前記端末装置が前記表示装置に接続された際に、前記第１画像処理プロセッサと前記第２画像処理プロセッサのどちらの画像処理プロセッサを用いるかを判断し、
前記第２画像処理プロセッサを用いると判断した場合に、前記第２画像処理プロセッサに前記指示を行うための前処理を行うと共に、前記第１画像処理プロセッサに、表示用画像データから画像信号を生成する指示を行い、前記前処理が完了した後に、前記第２画像処理プロセッサに、前記表示用画像データから画像信号を生成する指示を行う
ことを特徴とする端末装置。
【請求項１０】
画像処理プロセッサに画像データから画像信号を生成する指示を行う制御部と、前記制御部からの指示に応じて画像データから画像信号を生成する第１画像処理プロセッサとを有する端末装置に接続可能な表示装置であって、
前記制御部からの指示に応じて画像データから画像信号を生成する第２画像処理プロセッサと、
画像信号に基づく画像を表示する表示部と、
前記表示部で表示する画像を、前記第１画像処理プロセッサで生成された画像信号に基づく画像と、前記第２画像処理プロセッサで生成された画像信号に基づく画像との間で切り替える切り替え部と、
を有し、
前記切り替え部は、
少なくとも前記第２画像処理プロセッサで画像信号が生成されるまで、前記表示部に、前記第１画像処理プロセッサで生成された画像信号に基づく画像を表示させ、
前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に切り替える
ことを特徴とする表示装置。
【請求項１１】
端末装置と表示装置を有する表示システムの制御方法であって、
前記端末装置は、
画像処理プロセッサに画像データから画像信号を生成する指示を行う制御部と、
前記制御部からの指示に応じて画像データから画像信号を生成する第１画像処理プロセッサと、
を有し、
前記表示装置は、
前記制御部からの指示に応じて画像データから画像信号を生成する第２画像処理プロセッサと、
画像信号に基づく画像を表示する表示部と、
前記表示部で表示する画像を、前記第１画像処理プロセッサで生成された画像信号に基づく画像と、前記第２画像処理プロセッサで生成された画像信号に基づく画像との間で切り替える切り替え部と、
を有し、
前記制御部が、前記端末装置が前記表示装置に接続された際に、前記第１画像処理プロセッサと前記第２画像処理プロセッサのどちらの画像処理プロセッサを用いるかを判断する判断ステップと、
前記制御部が、前記第２画像処理プロセッサを用いると判断した場合に、前記第２画像処理プロセッサに前記指示を行うための前処理を行うと共に、前記第１画像処理プロセッサに、表示用画像データから画像信号を生成する指示を行い、前記前処理が完了した後に、前記第２画像処理プロセッサに、前記表示用画像データから画像信号を生成する指示を行う指示ステップと、
前記切り替え部が、少なくとも前記第２画像処理プロセッサで画像信号が生成されるまで、前記表示部に、前記第１画像処理プロセッサで生成された画像信号に基づく画像を表示させる表示ステップと、
前記切り替え部が、前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に切り替える切り替えステップと、
を有することを特徴とする表示システムの制御方法。
【請求項１２】
前記判断ステップでは、前記制御部が、前記第２画像処理プロセッサと前記第１画像処理プロセッサのうち、より性能が高い方の画像処理プロセッサを用いると判断する
ことを特徴とする請求項１１に記載の表示システムの制御方法。
【請求項１３】
前記表示装置は、前記第２画像処理プロセッサで生成される画像信号と、前記第１画像処理プロセッサで生成される画像信号との同期をとる同期処理を行う同期部をさらに有する
ことを特徴とする請求項１１または１２に記載の表示システムの制御方法。
【請求項１４】
前記切り替えステップでは、前記切り替え部が、前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に徐々に変化させる
ことを特徴とする請求項１１〜１３のいずれか１項に記載の表示システムの制御方法。
【請求項１５】
前記端末装置は、前記第２画像処理プロセッサが画像信号を生成する際に使用する処理パラメータを前記表示装置から取得する取得部をさらに有し、
前記第１画像処理プロセッサは、前記取得部で取得された処理パラメータを用いて画像信号を生成する
ことを特徴とする請求項１１〜１４のいずれか１項に記載の表示システムの制御方法。
【請求項１６】
前記処理パラメータは、画像信号の輝度特性と色特性の少なくともいずれかを決めるパ
ラメータである
ことを特徴とする請求項１５に記載の表示システムの制御方法。
【請求項１７】
少なくとも、前記端末装置から前記表示装置への画像信号の伝送と、前記端末装置から前記表示装置への前記指示の伝送とは１本のケーブルを用いて行われる
ことを特徴とする請求項１１〜１６のいずれか１項に記載の表示システムの制御方法。
【請求項１８】
前記ケーブルは、Ｔｈｕｎｄｅｒｂｏｌｔ（登録商標）ケーブルである
ことを特徴とする請求項１７に記載の表示システムの制御方法。
【請求項１９】
表示装置に接続可能な端末装置の制御方法であって、
前記端末装置は、
画像処理プロセッサに画像データから画像信号を生成する指示を行う制御部と、
前記制御部からの指示に応じて画像データから画像信号を生成する第１画像処理プロセッサと、
を有し、
前記表示装置は、前記制御部からの指示に応じて画像データから画像信号を生成する第２画像処理プロセッサを有し、
前記制御部が、前記端末装置が前記表示装置に接続された際に、前記第１画像処理プロセッサと前記第２画像処理プロセッサのどちらの画像処理プロセッサを用いるかを判断する判断ステップと、
前記制御部が、前記第２画像処理プロセッサを用いると判断した場合に、前記第２画像処理プロセッサに前記指示を行うための前処理を行うと共に、前記第１画像処理プロセッサに、表示用画像データから画像信号を生成する指示を行い、前記前処理が完了した後に、前記第２画像処理プロセッサに、前記表示用画像データから画像信号を生成する指示を行う指示ステップと、
を有することを特徴とする端末装置の制御方法。
【請求項２０】
画像処理プロセッサに画像データから画像信号を生成する指示を行う制御部と、前記制御部からの指示に応じて画像データから画像信号を生成する第１画像処理プロセッサとを有する端末装置に接続可能な表示装置の制御方法であって、
前記表示装置は、
前記制御部からの指示に応じて画像データから画像信号を生成する第２画像処理プロセッサと、
画像信号に基づく画像を表示する表示部と、
前記表示部で表示する画像を、前記第１画像処理プロセッサで生成された画像信号に基づく画像と、前記第２画像処理プロセッサで生成された画像信号に基づく画像との間で切り替える切り替え部と、
を有し、
前記切り替え部が、少なくとも前記第２画像処理プロセッサで画像信号が生成されるまで、前記表示部に、前記第１画像処理プロセッサで生成された画像信号に基づく画像を表示させる表示ステップと、
前記切り替え部が、前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に切り替える切り替えステップと、
を有することを特徴とする表示装置の制御方法。
【発明の詳細な説明】
【技術分野】
【０００１】
本発明は、表示システム、端末装置、表示装置、表示システムの制御方法、端末装置の制御方法、及び、表示装置の制御方法に関する。
【背景技術】
【０００２】
ＰＣ（Ｐｅｒｓｏｎａｌ  Ｃｏｍｐｕｔｅｒ）などの端末装置から表示装置（ディスプレイ装置）に画像信号を伝送するための規格にはＤＰ（ＤｉｓｐｌａｙＰｏｒｔ）などがある。
また、装置内で信号を伝送するための規格にはＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）などがある。例えば、ＰＣ内部では、ＰＣＩｅバスが使用されている。
表示装置で画像を表示する方法の一例を説明する。ＰＣ内部で、ＣＰＵ（Ｃｅｎｔｒａｌ  Ｐｒｏｃｅｓｓｉｎｇ  Ｕｎｉｔ）がＧＰＵ（Ｇｒａｐｈｉｃｓ  Ｐｒｏｃｅｓｓｉｎｇ  Ｕｎｉｔ；画像処理プロセッサ）に画像信号を生成する指示を行う。そして、ＧＰＵが、上記指示に応じて画像信号を生成し、生成した画像信号をＤＰインターフェースを介してＰＣ外部へ出力する。表示装置には、ＰＣから出力された画像信号が入力される。表示装置は、入力された画像信号に基づく画像を表示する。
【０００３】
一方、インターフェース（ハードウェアインターフェース）の規格には、Ｔｈｕｎｄｅｒｂｏｌｔ（登録商標；以後、ＴＢと記載する）がある。ＤＰの信号とＰＣＩｅの信号は、１本のＴＢケーブルで伝送することができる（非特許文献１参照）。
ＴＢケーブルを用いて端末装置が表示装置に接続された表示システムにおいて、表示装置は、外部からＴＢケーブルを介して入力されたＤＰの画像信号に基づいて画像を表示することができる。更に、上記表示システムにおいて、表示装置がＧＰＵを有する場合には、端末装置（外部装置）のＣＰＵから表示装置のＧＰＵへＴＢケーブルを介してＰＣＩｅの信号を伝送することが可能となる。それにより、端末装置のＣＰＵが表示装置のＧＰＵに画像信号の生成の指示を行い、表示装置が自身のＧＰＵで生成された画像信号に基づいて画像を表示することが可能となる。
上記表示システム（端末装置と、ＧＰＵを有する表示装置とを有する表示システム）では、端末装置のＧＰＵと表示装置のＧＰＵのうち性能が高い方のＧＰＵを使用して画像を表示する制御が行われることが考えられる。
【０００４】
複数の装置の描画性能を比較して、描画性能が高い方の装置を画像の描画に用いる方法は、例えば、特許文献１に開示されている。具体的には、特許文献１に開示の方法では、テレビとカメラのＧＵＩ（Ｇｒａｐｈｉｃｓ  Ｕｓｅｒ  Ｉｎｔｅｒｆａｃｅ）描画性能が比較され、ＧＵＩ描画性能が高い方の装置が描画に用いられる。
【０００５】
しかしながら、表示装置に内蔵されているＧＰＵをＰＣのＣＰＵが制御するためには、当該ＧＰＵのドライバ（ドライバソフトウェア）をＰＣにインストールしたり、ＰＣのＣＰＵがドライバを読み込んで起動（実行）したりする必要がある。即ち、表示装置のＧＰＵをＰＣのＣＰＵが制御するためには、ドライバのインストール、ＰＣのＣＰＵによるドライバの読み込み及び起動などを含む前処理が必要となる。
そのため、表示装置のＧＰＵを表示に用いる場合に、端末装置を表示装置に接続してすぐに画像を表示することができず、ユーザが上記前処理が完了するまで画像の表示を待つことになるという課題がある。
【先行技術文献】
【特許文献】
【０００６】
【特許文献１】特開２００９−１８８６８１号公報
【非特許文献】
【０００７】
【非特許文献１】http://www.intel.com/technology/io/thunderbolt/index.htm
【発明の概要】
【発明が解決しようとする課題】
【０００８】
本発明は、表示装置の画像処理プロセッサを表示に用いる場合において、端末装置と表示装置の接続後により短時間で画像を表示することのできる技術を提供することを目的とする。
【課題を解決するための手段】
【０００９】
本発明の第１の態様は、
端末装置と表示装置を有する表示システムであって、
前記端末装置は、
画像処理プロセッサに画像データから画像信号を生成する指示を行う制御部と、
前記制御部からの指示に応じて画像データから画像信号を生成する第１画像処理プロセッサと、
を有し、
前記表示装置は、
前記制御部からの指示に応じて画像データから画像信号を生成する第２画像処理プロセッサと、
画像信号に基づく画像を表示する表示部と、
前記表示部で表示する画像を、前記第１画像処理プロセッサで生成された画像信号に基づく画像と、前記第２画像処理プロセッサで生成された画像信号に基づく画像との間で切り替える切り替え部と、
を有し、
前記制御部は、
前記端末装置が前記表示装置に接続された際に、前記第１画像処理プロセッサと前記第２画像処理プロセッサのどちらの画像処理プロセッサを用いるかを判断し、
前記第２画像処理プロセッサを用いると判断した場合に、前記第２画像処理プロセッサに前記指示を行うための前処理を行うと共に、前記第１画像処理プロセッサに、表示用画像データから画像信号を生成する指示を行い、前記前処理が完了した後に、前記第２画像処理プロセッサに、前記表示用画像データから画像信号を生成する指示を行い、
前記切り替え部は、
少なくとも前記第２画像処理プロセッサで画像信号が生成されるまで、前記表示部に、前記第１画像処理プロセッサで生成された画像信号に基づく画像を表示させ、
前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に切り替える
ことを特徴とする表示システムである。
【００１０】
本発明の第２の態様は、
表示装置に接続可能な端末装置であって、
画像処理プロセッサに画像データから画像信号を生成する指示を行う制御部と、
前記制御部からの指示に応じて画像データから画像信号を生成する第１画像処理プロセッサと、
を有し、
前記表示装置は、前記制御部からの指示に応じて画像データから画像信号を生成する第２画像処理プロセッサを有し、
前記制御部は、
前記端末装置が前記表示装置に接続された際に、前記第１画像処理プロセッサと前記第２画像処理プロセッサのどちらの画像処理プロセッサを用いるかを判断し、
前記第２画像処理プロセッサを用いると判断した場合に、前記第２画像処理プロセッサに前記指示を行うための前処理を行うと共に、前記第１画像処理プロセッサに、表示用画像データから画像信号を生成する指示を行い、前記前処理が完了した後に、前記第２画像処理プロセッサに、前記表示用画像データから画像信号を生成する指示を行う
ことを特徴とする端末装置である。
【００１１】
本発明の第３の態様は、
画像処理プロセッサに画像データから画像信号を生成する指示を行う制御部と、前記制御部からの指示に応じて画像データから画像信号を生成する第１画像処理プロセッサとを有する端末装置に接続可能な表示装置であって、
前記制御部からの指示に応じて画像データから画像信号を生成する第２画像処理プロセッサと、
画像信号に基づく画像を表示する表示部と、
前記表示部で表示する画像を、前記第１画像処理プロセッサで生成された画像信号に基づく画像と、前記第２画像処理プロセッサで生成された画像信号に基づく画像との間で切り替える切り替え部と、
を有し、
前記切り替え部は、
少なくとも前記第２画像処理プロセッサで画像信号が生成されるまで、前記表示部に、前記第１画像処理プロセッサで生成された画像信号に基づく画像を表示させ、
前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に切り替える
ことを特徴とする表示装置である。
【００１２】
本発明の第４の態様は、
端末装置と表示装置を有する表示システムの制御方法であって、
前記端末装置は、
画像処理プロセッサに画像データから画像信号を生成する指示を行う制御部と、
前記制御部からの指示に応じて画像データから画像信号を生成する第１画像処理プロセッサと、
を有し、
前記表示装置は、
前記制御部からの指示に応じて画像データから画像信号を生成する第２画像処理プロセッサと、
画像信号に基づく画像を表示する表示部と、
前記表示部で表示する画像を、前記第１画像処理プロセッサで生成された画像信号に基づく画像と、前記第２画像処理プロセッサで生成された画像信号に基づく画像との間で切り替える切り替え部と、
を有し、
前記制御部が、前記端末装置が前記表示装置に接続された際に、前記第１画像処理プロセッサと前記第２画像処理プロセッサのどちらの画像処理プロセッサを用いるかを判断する判断ステップと、
前記制御部が、前記第２画像処理プロセッサを用いると判断した場合に、前記第２画像処理プロセッサに前記指示を行うための前処理を行うと共に、前記第１画像処理プロセッ
サに、表示用画像データから画像信号を生成する指示を行い、前記前処理が完了した後に、前記第２画像処理プロセッサに、前記表示用画像データから画像信号を生成する指示を行う指示ステップと、
前記切り替え部が、少なくとも前記第２画像処理プロセッサで画像信号が生成されるまで、前記表示部に、前記第１画像処理プロセッサで生成された画像信号に基づく画像を表示させる表示ステップと、
前記切り替え部が、前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に切り替える切り替えステップと、
を有することを特徴とする表示システムの制御方法である。
【００１３】
本発明の第５の態様は、
表示装置に接続可能な端末装置の制御方法であって、
前記端末装置は、
画像処理プロセッサに画像データから画像信号を生成する指示を行う制御部と、
前記制御部からの指示に応じて画像データから画像信号を生成する第１画像処理プロセッサと、
を有し、
前記表示装置は、前記制御部からの指示に応じて画像データから画像信号を生成する第２画像処理プロセッサを有し、
前記制御部が、前記端末装置が前記表示装置に接続された際に、前記第１画像処理プロセッサと前記第２画像処理プロセッサのどちらの画像処理プロセッサを用いるかを判断する判断ステップと、
前記制御部が、前記第２画像処理プロセッサを用いると判断した場合に、前記第２画像処理プロセッサに前記指示を行うための前処理を行うと共に、前記第１画像処理プロセッサに、表示用画像データから画像信号を生成する指示を行い、前記前処理が完了した後に、前記第２画像処理プロセッサに、前記表示用画像データから画像信号を生成する指示を行う指示ステップと、
を有することを特徴とする端末装置の制御方法である。
【００１４】
本発明の第６の態様は、
画像処理プロセッサに画像データから画像信号を生成する指示を行う制御部と、前記制御部からの指示に応じて画像データから画像信号を生成する第１画像処理プロセッサとを有する端末装置に接続可能な表示装置の制御方法であって、
前記表示装置は、
前記制御部からの指示に応じて画像データから画像信号を生成する第２画像処理プロセッサと、
画像信号に基づく画像を表示する表示部と、
前記表示部で表示する画像を、前記第１画像処理プロセッサで生成された画像信号に基づく画像と、前記第２画像処理プロセッサで生成された画像信号に基づく画像との間で切り替える切り替え部と、
を有し、
前記切り替え部が、少なくとも前記第２画像処理プロセッサで画像信号が生成されるまで、前記表示部に、前記第１画像処理プロセッサで生成された画像信号に基づく画像を表示させる表示ステップと、
前記切り替え部が、前記第２画像処理プロセッサで画像信号が生成された後に、前記表示部で表示する画像を、前記第１画像処理プロセッサで生成された画像信号に基づく画像から、前記第２画像処理プロセッサで生成された画像信号に基づく画像に切り替える切り替えステップと、
を有することを特徴とする表示装置の制御方法である。
【発明の効果】
【００１５】
本発明によれば、表示装置の画像処理プロセッサを表示に用いる場合において、端末装置と表示装置の接続後により短時間で画像を表示することができる。
【図面の簡単な説明】
【００１６】
【図１】実施例１に係る表示システムの一例を示す図
【図２】実施例１に係る表示システムの動作の一例を示すタイミングチャート
【図３】実施例１に係る表示システムの動作の一例を示すタイミングチャート
【図４】実施例１に係る表示システムの動作の一例を示すタイミングチャート
【図５】実施例１に係る表示システムの動作の一例を示すタイミングチャート
【図６】実施例１に係る表示システムの動作の一例を示すフローチャート
【図７】実施例１に係る同期処理の一例を示すフローチャート
【図８】実施例１に係る「生成フレームの調整」の説明図
【図９】実施例２に係る表示システムの一例を示す図
【図１０】実施例２に係る表示システムの動作の一例を示すフローチャート
【図１１】実施例２に係る表示システムの動作の一例を示すフローチャート
【発明を実施するための形態】
【００１７】
＜実施例１＞
以下、本発明の実施例１について説明する。
図１は、本実施例に係る表示システムの一例を示す図である。本実施例に係る表示システムは、互いに接続可能な端末装置１００と表示装置２００を有する。端末装置１００は、１本のＴｈｕｎｄｅｒｂｏｌｔ（登録商標）ケーブル３００（ＴＢケーブル）を用いて、表示装置２００に接続されている。
端末装置１００は、ＰＣ（Ｐｅｒｓｏｎａｌ  Ｃｏｍｐｕｔｅｒ）、タブレットコンピュータといった情報機器である。端末装置１００は、ＤＰ（ＤｉｓｐｌａｙＰｏｒｔ）の信号の出力と、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）の信号の入出力とに対応している。
表示装置２００は、内部にＧＰＵ（Ｇｒａｐｈｉｃｓ  Ｐｒｏｃｅｓｓｉｎｇ  Ｕｎｉｔ；第２画像処理プロセッサ）を有する。表示装置２００は、ＤＰの信号（ＤＰ信号）の入力と、ＰＣＩｅの信号（ＰＣＩｅ信号）の入出力とに対応している。
【００１８】
本実施例では、端末装置１００から表示装置２００へＤＰ信号が伝送される。また、端末装置１００と表示装置２００の間でＰＣＩｅ信号が伝送される。なお、図１では、わかり易くするために、端末装置１００から表示装置２００へのＤＰ信号の伝送路と、端末装置１００と表示装置２００の間のＰＣＩｅ信号の伝送路とを分けて図示している。しかし、端末装置１００から表示装置２００へのＤＰ信号の伝送と、端末装置１００と表示装置２００の間のＰＣＩｅ信号の伝送とは、１本のＴＢケーブル３００を用いて行われる。即ち、１本のＴＢケーブル３００を用いて端末装置１００を表示装置２００に接続することにより、端末装置１００から表示装置２００へのＤＰ信号の伝送と、端末装置１００と表示装置２００の間のＰＣＩｅ信号の伝送との両方が可能となる。
【００１９】
端末装置１００について説明する。
【００２０】
第１制御部１０１は、端末装置１００の各機能部を制御するＣＰＵである。また、第１制御部１０１は、表示装置２００のＧＰＵ（後述する第２画像処理部２０４）を制御する。
第１メモリ部１０２は、第１制御部１０１が使用するワークメモリである。
第１信号変換部１０３は、第１制御部１０１からの信号をＰＣＩｅ信号に変換する。また、第１信号変換部１０３は、入力されたＰＣＩｅ信号を第１制御部１０１で処理可能な信号に変換し、変換後の信号を第１制御部１０１に出力する。
【００２１】
第１画像処理部１０４は、画像データから画像信号を生成する生成処理を行うＧＰＵ（第１画像処理プロセッサ）である。第１画像処理部１０４は、第１制御部１０１からの指示に応じて生成処理を行う。具体的には、第１制御部１０１は、画像データとコマンドを含む信号を、第１信号変換部１０３を介して第１画像処理部１０４に出力する。第１画像処理部１０４は、コマンドの入力に応じて、入力された画像データから画像信号を生成する。
第１ＧＰＵメモリ部１０５は、第１画像処理部１０４が使用するグラフィックスメモリである。
【００２２】
画像出力部１０６は、第１画像処理部１０４で生成された画像信号をＤＰ信号に変換して、当該ＤＰ信号を端末装置１００の外部に出力する。本実施例では、端末装置１００から出力されたＤＰ信号は、ＴＢケーブル３００を介して表示装置２００に入力される。
第１信号入出力部１０７は、端末装置１００の内部から外部へのＰＣＩｅ信号の出力、端末装置１００の外部から内部へのＰＣＩｅ信号の入力を行う。第１制御部１０１は、第１信号入出力部１０７を用いてコマンドを外部機器に出力することにより、外部機器を制御することができる。本実施例では、第１制御部１０１は、第１信号入出力部１０７を用いて、第２画像処理部２０４に生成処理を行わせるための信号（画像データとコマンド）を表示装置２００に出力する。それにより、第２画像処理部２０４に生成処理を行わせることができる。なお、第２画像処理部２０４に生成処理を行わせるための信号は、ＴＢケーブル３００を介して表示装置２００に入力される。
【００２３】
表示装置２００について説明する。
【００２４】
第２制御部２０１は、表示装置２００の各機能部を制御するＣＰＵである。
第２メモリ部２０２は、第２制御部２０１が使用するワークメモリである。
第２信号変換部２０３は、第２制御部２０１からの信号をＰＣＩｅ信号に変換する。
また、第２信号変換部２０３は、入力されたＰＣＩｅ信号を第２信号変換部２０３で処理可能な信号に変換し、変換後の信号を第２制御部２０１に出力する。
【００２５】
第２画像処理部２０４は、画像データから画像信号を生成する生成処理を行うＧＰＵ（第２画像処理プロセッサ）である。第２画像処理部２０４は、第２制御部２０１からの指示に応じて生成処理を行う。具体的には、第２制御部２０１は、画像データとコマンドを含む信号を、第２信号変換部２０３を介して第２画像処理部２０４に出力する。第２画像処理部１０４は、コマンドの入力に応じて、入力された画像データから画像信号を生成する。
また、第２画像処理部２０４は、外部機器からの指示に応じて生成処理を行うこともできる。本実施例では、第２画像処理部２０４は、端末装置１００（具体的には第１制御部１０１）からの指示に応じて生成処理を行う。具体的には、第１制御部１０１から出力された画像データとコマンドが第２画像処理部２０４に入力されると、第２画像処理部２０４は、当該画像データから画像信号を生成する。
第２ＧＰＵメモリ部２０５は、第２画像処理部２０４が使用するグラフィックスメモリである。また、第２ＧＰＵメモリ部２０５は、複数フレーム分の画像信号を保持するフレームメモリとしても機能する。
【００２６】
画像入力部２０６は、表示装置２００の外部から入力されたＤＰ信号を画像信号に変換する。上述したように、本実施例では、端末装置１００（画像出力部１０６）から出力さ
れたＤＰ信号が、ＴＢケーブル３００を介して表示装置２００（画像入力部２０６）に入力される。
第２信号入出力部２０７は、表示装置２００の内部から外部へのＰＣＩｅ信号の出力、表示装置２００の外部から内部へのＰＣＩｅ信号の入力を行う。第２制御部２０１は、第２信号入出力部２０７を用いて外部機器からの要求に対して応答することができる。本実施例では、第２制御部２０１は、第２信号入出力部２０７を用いて、端末装置１００（第１制御部１０１）からの要求に対する応答を表す応答信号を端末装置１００に出力する。なお、応答信号は、ＴＢケーブル３００を介して端末装置１００に入力される。
【００２７】
出力選択部２０８は、画像表示部２０９で表示する画像を、画像入力部２０６に入力されたＤＰ信号を変換して得られた画像信号（第１画像信号）と、第２画像処理部２０４で生成された画像信号（第２画像信号）との間で切り替える。具体的には、出力選択部２０８は、第２制御部２０１からの指示に応じて、第１画像信号または第２画像信号を、表示する画像信号として選択する。そして、出力選択部２０８は、選択した画像信号を出力する。画像入力部２０６に入力されたＤＰ信号を変換して得られた第１画像信号は、第１画像処理部１０４で生成された画像信号である。
画像表示部２０９は、出力選択部２０８で選択された画像信号に基づく画像を表示する。
【００２８】
同期信号検出部２１０は、第１画像信号の同期信号と第２画像信号の同期信号を検出し、検出したそれらの同期信号を第２制御部２０１に通知する。第２制御部２０１は、第１画像信号と第２画像信号の同期をとる同期処理を行う。この処理の詳細は後述する。また、第１画像信号と第２画像信号の同期がとれた後に、第２制御部２０１は、同期信号検出部２１０から通知された垂直同期信号（第１画像信号と第２画像信号の垂直同期信号）のタイミングで出力選択部２０８の出力を切り替える。これにより、表示装置２００（画像表示部２０９）の表示を垂直同期信号に同期して切り替えることができる。
なお、同期処理は第２制御部２０１以外の機能部により行われてもよい。例えば、同期処理は、不図示の同期部（表示装置２００が有する同期部）により行われてもよい。
【００２９】
制御選択部２１１は、第２制御部２０１からの指示に応じて、ＰＣＩｅ信号の伝送路を切り替える。本実施例では、制御選択部２１１は、３つの伝送路の間で切り替えを行う。１つ目の伝送路は、第２画像処理部２０４と第２信号変換部２０３の間の伝送路である。第２画像処理部２０４と第２信号変換部２０３を接続することにより、第２画像処理部２０４において、第２制御部２０１からの指示に応じた生成処理が実行可能となる。２つ目の伝送路は、第２画像処理部２０４と第２信号入出力部２０７の間の伝送路である。第２画像処理部２０４と第２信号入出力部２０７を接続することにより、端末装置１００から表示装置２００に入力されたＰＣＩｅ信号を第２画像処理部２０４に伝送することができるようになる。その結果、第２画像処理部２０４において、第１制御部１０１からの指示に応じた生成処理が実行可能となる。３つ目の伝送路は、第２信号入出力部２０７と第２信号変換部２０３の間の伝送路である。第２信号入出力部２０７と第２信号変換部２０３を接続することにより、端末装置１００から表示装置２００に入力されたＰＣＩｅ信号を、第２制御部２０１で処理可能な信号に変換し、変換後の信号を第２制御部２０１に伝送することができるようになる。また、第２制御部２０１から出力された信号をＰＣＩｅ信号に変換し、当該ＰＣＩｅ信号を表示装置２００から端末装置１００に出力することができるようになる。その結果、第２制御部２０１と第１制御部１０１の間での通信が可能となる。
【００３０】
キャプチャ部２１２は、第１画像信号を取得し、第２画像処理部２０４へ出力する。第２画像処理部２０４は、キャプチャ部２１２から出力された第１画像信号に基づいて種々の処理を行うことができる。例えば、第２画像処理部２０４は、第１画像信号のフレーム
番号（動画内の時間位置）に基づいて、生成する第２画像信号のフレームを調整することができる。また、第２画像処理部２０４は、第２画像信号に第１画像信号を用いた画像処理を施すことができる。
【００３１】
本実施例では、第１制御部１０１は、端末装置１００が表示装置２００に接続された際に、第１画像処理部１０４と第２画像処理部２０４のどちらを用いるかを判断する。ユーザのニーズを考えると、第１画像処理部１０４と第２画像処理部２０４のうち、より性能が高い方の画像処理部で生成された画像信号に基づく画像を表示することが好ましい。そこで、本実施例では、第１制御部１０１は、第１画像処理部１０４と第２画像処理部２０４のうち、より性能が高い方の画像処理部を用いると判断する。
しかし、第１制御部１０１が第２画像処理部２０４を制御する（第１制御部１０１が第２画像処理部２０４に生成処理の実行の指示を行う）ためには、第２画像処理部２０４のドライバ（ドライバソフトウェア）のインストールや起動といった前処理が必要である。そのため、第２画像処理部２０４を表示に用いる場合に、画像が表示されるまでの時間が長くなってしまうという課題がある。
そこで、本実施例では、第１制御部１０１は、第２画像処理部２０４を用いると判断した場合に、上記前処理を行うと共に、第１画像処理部１０４に表示用画像データから画像信号を生成する指示を行う。第１制御部１０１は、上記前処理が完了した後に、第２画像処理部２０４に上記表示用画像データから画像信号を生成する指示を行う。そして、出力選択部２０８は、少なくとも第２画像処理部２０４で画像信号が生成されるまで、画像表示部２０９に、第１画像処理部１０４で生成された画像信号を表示させる。具体的には、少なくとも第２画像処理部２０４で画像信号が生成されるまで第１画像処理部１０４で生成された画像信号が選択されるように、第１制御部１０１が出力選択部２０８を制御する。それにより、短い時間で画像を表示することができる。また、出力選択部２０８は、第２画像処理部２０４で画像信号が生成された後に、画像表示部２０９で表示する画像を、第１画像処理部１０４で生成された画像信号に基づく画像から、第２画像処理部２０４で生成された画像信号に基づく画像に切り替える。
【００３２】
なお、第２画像処理部２０４の性能が第１画像処理部１０４の性能より高いか否かの判定は、例えば、第２画像処理部２０４の性能を表す情報と、第１画像処理部１０４の性能を表す情報とを比較することにより行うことができる。第２画像処理部２０４の性能を表す情報は、端末装置１００内に予め記憶されていてもよいし、ユーザによって入力されてもよい。第１画像処理部１０４の性能を表す情報は、表示装置２００内に予め記憶されていてもよいし、ユーザによって入力されてもよい。
なお、使用する画像処理部は、表示用画像データの種類に基づいて決定されてもよい。例えば、表示用画像データが静止画データである場合に第１画像処理部１０４を用いると判断され、表示用画像データが動画データである場合に第２画像処理部２０４を用いると判断されてもよい。医用画像データである場合に第１画像処理部１０４を用いると判断され、表示用画像データがイラストデータである場合に第２画像処理部２０４を用いると判断されてもよい。また、ユーザによって選択された画像処理部が、使用する画像処理部として判断されてもよい。
【００３３】
本実施例に係る表示システムの動作の一例について説明する。
図２は、第２画像処理部２０４のドライバがインストールされておらず、ＤＰ信号を出力している状態の端末装置１００が、表示装置２００に接続されたときの、表示システム（端末装置１００と表示装置２００）の動作の一例を示すタイミングチャートである。図２には、画像表示部２０９の表示状態の変化が図示されている。表示状態「ＯＦＦ」は、表示が行われていない状態（または外部機器から表示装置２００へのＤＰ信号の入力が無い状態）を意味する。表示状態「ＤＰ表示」は、端末装置１００から出力されたＤＰ信号（即ち、第１画像信号）に基づく画像が表示されている状態を意味する。表示状態「ＰＣ
Ｉｅ表示」は、制御部１０１からの指示に応じて第２画像処理部２０４で生成された第２画像信号に基づく画像が表示されている状態を意味する。
【００３４】
時刻ｔ０では、端末装置１００が表示装置２００に接続されていないため、表示状態は「ＯＦＦ」となっている。
時刻ｔ１で、端末装置１００がＴＢケーブル３００を用いて表示装置２００に接続される。このとき、端末装置１００（画像出力部１０６）からはＤＰ信号が出力されている。このＤＰ信号は、ＴＢケーブル３００を介して表示装置２００（画像入力部２０６）に入力され、画像信号（第１画像信号）に変換される。
時刻ｔ２で、表示状態が「ＤＰ表示」に切り替わる。具体的には、時刻ｔ２で、同期信号検出部２１０は、ＤＰ信号を変換して得られた第１画像信号の同期信号を検出し、第２制御部２０１へ通知する。そして、第２制御部２０１は、第１画像信号の垂直同期信号に同期して、第１画像信号を選択するように出力選択部２０８を制御する。それにより、画像表示部２０９では、ＤＰ信号を変換して得られた第１画像信号に基づく画像が表示される。
時刻ｔ３で、第２制御部２０１は、制御選択部２１１を介して第２信号入出力部２０７と接続し、ＴＢケーブル３００を介して端末装置１００の第１制御部１０１との接続を試みる。
【００３５】
時刻ｔ４で、第２制御部２０１と第１制御部１０１のＰＣＩｅ接続が確立し、表示装置２００が有するＧＰＵ（第２画像処理部２０４）の情報が第１制御部１０１へと通知される。第１制御部１０１は、上記ＧＰＵの情報を基に、第２画像処理部２０４を直接制御するためのドライバをインストールするか否かを検討する。
ここで、ドライバをインストールするか否かの検討方法の一例を挙げる。
ＶＧＡ（Ｖｉｄｅｏ  Ｇｒａｐｈｉｃｓ  Ａｒｒａｙ）サイズの単純なグラフィック（矩形画像など）を生成する処理を予め第１画像処理部１０４で実行しておく。そして、１秒間に生成可能なグラフィックの数をカウントして第１メモリ部に保存しておく。第１制御部１０１は、上記処理（グラフィックの繰り返し生成）と同じ処理を第２画像処理部２０４に実行させるための命令（ＰＣＩｅ信号）を、ＴＢケーブル３００を介して第２制御部２０１に伝送する。そして、第２制御部２０１が、上記命令を用いて、上記処理と同じ処理を第２画像処理部２０４に実行させる。第２画像処理部２０４は、１秒間に生成できたグラフィックの数をカウントして、第２制御部２０１に通知する。第２制御部２０１が、第２画像処理部２０４から通知されたカウント数（グラフィックの数）を第１制御部１０１に通知する。第１制御部１０１は、表示装置２００（第２画像処理部２０４）と端末装置１００（第１画像処理部１０４）のカウント数を比較する。表示装置２００が１秒間に端末装置１００よりも多くのグラフィックを生成できるならば、第１制御部１０１は、第２画像処理部２０４の性能が第１画像処理部１０４の性能よりも高いと判断する。そして、第１制御部１０１は、第２画像処理部２０４のドライバを端末装置１００にインストールすると判定する。
なお、第２画像処理部２０４の性能が第１画像処理部１０４の性能よりも高いか否か（ドライバをインストールするか否か）の判定方法は、上記方法に限らない。例えば、ＧＰＵの性能を判断するベンチマークソフトを予め各々の装置で実行し、ソフトの実行結果（スコア）がデータベース化されていてもよい。この場合、時刻ｔ４の時点で第１制御部１０１に通知されたＧＰＵ（第２画像処理部２０４）の型番に対応するスコアと、第１画像処理部１０４の型番に対応するスコアとを上記データベースから参照すればよい。そして、第２画像処理部２０４のスコアと、第１画像処理部１０４のスコアとに基づいて、ドライバをインストールするか否かが検討されてもよい。性能が高いほどスコアが高いならば、第２画像処理部２０４のスコアが第１画像処理部１０４のスコアより高い場合に、ドライバをインストールすると判定すればよい。また、上記データベースは必ずしも端末装置１００が保持する必要はない。端末装置１００がインターネット接続できるのであれば、
上記データベースはネットワークから取得されてもよい。
【００３６】
第２画像処理部２０４のドライバを端末装置１００にインストールすると判定されると、時刻ｔ５で、第１制御部１０１は、ＴＢケーブル３００を介して、第２制御部２０１に、第２画像処理部２０４のドライバを要求するＰＣＩｅ信号を伝送する。
時刻ｔ６で、第２制御部２０１は、端末装置１００（第１制御部１０１）からの要求（ドライバの送信の要求）を受け付ける。
時刻ｔ７で、第２制御部２０１は、第１制御部１０１へのドライバの送信を開始する。ドライバ（ＰＣＩｅ信号）は、ＴＢケーブル３００を介して第２制御部２０１から第１制御部１０１へ送信される。なお、ここでは、表示装置２００が第２画像処理部２０４のドライバを保持していることを前提としている。しかし、表示装置２００や端末装置１００がインターネットに接続できるのであれば、ネットワークからドライバを取得することが可能となるため、表示装置２００は必ずしもドライバを保持する必要はない。また、端末装置１００がインターネットに接続できる場合は、端末装置１００は、表示装置２００を介さずに、直接ネットワークからドライバを取得してもよい。
【００３７】
時刻ｔ８で、第１制御部１０１によるドライバ（インストールするドライバ；第２画像処理部２０４のドライバ）の取得が完了する。そして、第１制御部１０１は、ドライバのインストールを開始する。
時刻ｔ９で、第２画像処理部２０４のドライバのインストールが完了し、第１制御部１０１は、当該ドライバの起動を行う。
時刻ｔ１０で、第２制御部２０１は、制御選択部２１１を制御して、第２信号入出力部２０７と第２画像処理部２０４を接続する。それにより、端末装置１００の第１制御部１０１から第２画像処理部２０４を直接制御できるようになる。第１制御部１０１は、ドライバの起動が完了し、第２画像処理部２０４との接続が確立すると、ＴＢケーブル３００を介して、直接第２画像処理部２０４に対して生成処理の実行指示（具体的には画像データとコマンド）を送り始める。ここで、画像データは、ＤＰ信号の生成のために使用された画像データと同じ画像データ（表示用画像データ）である。
【００３８】
時刻ｔ１１で、第２画像処理部２０４による生成処理が開始する。また、このタイミングで、第２制御部２０１が同期処理を行う。同期処理は、「生成フレームの調整」と「Ｖｓｙｎｃの同期」を含む。「生成フレームの調整」は、第２画像処理部で生成される画像信号（第２画像信号）のフレーム（動画像内の時間位置）と、第１画像処理部で生成される画像信号（ＤＰ信号から生成される画像信号；第１画像信号）のフレームとを一致させる処理である。「Ｖｓｙｎｃの同期」は、第２画像信号の垂直同期信号と第１画像信号の垂直同期信号との同期をとる処理である。具体的には、「生成フレームの調整」では、第２画像信号と、ＤＰ信号から生成された画像信号（第１画像信号）の比較が行われる。そして、比較結果に基づき、出力選択部２０８に同じフレームの第１画像信号と第２画像信号が入力されるように、それぞれのＧＰＵが生成するフレームが調整される。「Ｖｓｙｎｃの同期」では、同期信号検出部２１０が、第１画像信号と第２画像信号の同期信号を検知して、第２制御部２０１へと通知する。第２制御部２０１は、通知された同期信号に基づいて、それらの画像信号の垂直同期信号の同期をとる処理を行う。同期処理の詳細な説明は、後述する。
【００３９】
時刻ｔ１２で、同期信号検出部２１０が、第２画像処理部２０４の出力する垂直同期信号を第２制御部２０１に通知する。この垂直同期信号のタイミングで表示が第１画像信号に基づく画像から第２画像信号に基づく画像に切り替わるように、第２制御部２０１は、出力選択部２０８を制御する。時刻ｔ１２以降、画像表示部２０９には、第２画像処理部２０４において生成された第２画像信号に基づく画像が表示される。
【００４０】
なお、上述した動作は、第１制御部１０１が第２画像処理部２０４を直接制御する場合（端末装置１００にドライバをインストールすると判定された場合）の例である。第１制御部１０１が第２画像処理部２０４を直接制御しない場合（例えば、端末装置１００にドライバをインストールしないと判定された場合）には、時刻ｔ４より後の上記処理（時刻ｔ５〜ｔ１２の処理）は行われず、表示状態「ＤＰ表示」が維持される。
なお、表示状態が「ＤＰ表示」から「ＰＣＩｅ表示」に切り替わった後は、第１画像処理部１０４による生成処理は、実行され続けてもよいし、停止されてもよい。
【００４１】
図３は、第２画像処理部２０４のドライバがインストールされており、ＤＰ信号を出力している状態の端末装置１００が、表示装置２００に接続されたときの、表示システムの動作の一例を示すタイミングチャートである。なお、以下の説明における各時刻は、特にことわりが無い限り、図３に記載の時刻を意味する。
時刻ｔ０〜ｔ３の処理は、それぞれ図２の時刻ｔ０〜ｔ３の処理と同じであるため、それらの説明は省略する。
時刻ｔ４で、表示装置２００（第２制御部２０１）と端末装置１００（第１制御部１０１）とのＰＣＩｅ接続が確立し、表示装置２００が有するＧＰＵ（第２画像処理部２０４）の情報が第１制御部１０１へと通知される。第１制御部１０１は、上記ＧＰＵの情報を基に、第２画像処理部２０４を直接制御するためのドライバが既にインストールされていると判断する。そして、第１制御部１０１は、上記ＧＰＵの情報を基に、ドライバ（第２画像処理部２０４のドライバ）を起動するか否かの検討を行う。なお、ドライバを起動するか否かの判定方法（検討方法）は、図２を用いて説明した判定方法（ドライバをインストールするか否かの判定方法）と同じであるため、その説明は省略する。
第２画像処理部２０４のドライバを起動すると判定されると、時刻ｔ５で、第１制御部１０１は、ドライバ（第２画像処理部２０４のドライバ）を起動する。
時刻ｔ６、時刻ｔ７、時刻ｔ８の処理は、それぞれ、図２の時刻ｔ１０、時刻ｔ１１、時刻ｔ１２の処理と同じであるため、それらの説明は省略する。
【００４２】
なお、上述した動作は、第１制御部１０１が第２画像処理部２０４を直接制御する場合（第２画像処理部２０４のドライバを起動すると判定された場合）の例である。第１制御部１０１が第２画像処理部２０４を直接制御しない場合（例えば、第２画像処理部２０４のドライバを起動しないと判定された場合）には、時刻ｔ４より後の上記処理（時刻ｔ５〜ｔ８の処理）は行われず、表示状態「ＤＰ表示」が維持される。
【００４３】
図４は、画像処理部２０４のドライバがインストールされておらず、ＤＰ信号を出力していない状態の端末装置１００が、表示装置２００に接続されたときの、表示システムの動作の一例を示すタイミングチャートである。なお、以下の説明における各時刻は、特にことわりが無い限り、図４に記載の時刻を意味する。
【００４４】
時刻ｔ１で、端末装置１００がＴＢケーブル３００を用いて表示装置２００に接続される。そして、第１制御部１０１が、第１信号入出力部１０７とＴＢケーブル３００を介して表示装置２００の第２制御部２０１との接続（ＰＣＩｅ接続）を試みる。
時刻ｔ２で、第２信号入出力部２０７が外部からのＰＣＩｅ接続要求（ＰＣＩｅ信号）を検知し、当該要求を第２制御部２０１に通知する。第２制御部２０１は、当該通知に応じて、第２信号入出力部２０７と第２信号変換部２０３が接続されるように、制御選択部２１１を制御する。これにより、第２制御部２０１と第１制御部１０１のＰＣＩｅ接続が確立する。
時刻ｔ３で、第２制御部２０１は、ＴＢケーブル３００を介して、ＤＰ信号の出力を要求するＰＣＩｅ信号を端末装置１００（第１制御部１０１）へ伝送する。また、第２制御部２０１は、ＴＢケーブル３００を介して、表示装置２００が有するＧＰＵ（第２画像処理部２０４）の情報であるＰＣＩｅ信号を端末装置１００（第１制御部１０１）へ伝送す
る。
【００４５】
時刻ｔ４で、第１制御部１０１は、表示装置２００（第２制御部２０１）からのＤＰ出力要求（ＤＰ信号の出力の要求）を受け付ける。第１制御部１０１は、ＤＰ出力要求に応じて、第１画像処理部１０４に生成処理の実行指示（表示用画像データとコマンド）を送る。それにより、第１画像処理部１０４で表示用画像データから第１画像信号を生成する処理が行われる。また、時刻ｔ４で、第１制御部１０１に、第２画像処理部２０４の情報が通知される。そして、第１制御部１０１は、上記第２画像処理部２０４の情報を基に、第２画像処理部２０４を直接制御するためのドライバをインストールするか否かを検討する。ドライバをインストールするか否かの判定方法（検討方法）は、図２を用いて説明した判定方法と同じであるため、その説明は省略する。
【００４６】
時刻ｔ１０１で、画像出力部１０６からＤＰ信号（表示用画像データから生成された第１画像信号を変換して得られたＤＰ信号）が出力される。そして、このＤＰ信号は、ＴＢケーブル３００を介して表示装置２００（画像入力部２０６）に入力され、画像信号（第１画像信号）に変換される。
時刻ｔ１０２で、同期信号検出部２１０は、ＤＰ信号を変換して得られた上記第１画像信号の同期信号を検知して第２制御部２０１へ通知する。第２制御部２０１は上記第１画像信号の垂直同期信号のタイミングで当該第１画像信号に基づく画像の表示が開始されるように、出力選択部２０８を制御する。時刻ｔ１０２以降、画像表示部２０９には、第１画像処理部１０４において生成された第１画像信号に基づく画像が表示される。なお、時刻ｔ１０２以前では、画像表示部２０９の表示状態は「ＯＦＦ」である。
第２画像処理部２０４のドライバを端末装置１００にインストールすると判定されると、時刻ｔ５から時刻ｔ１２の処理が行われる。時刻ｔ５から時刻ｔ１２の処理は、図２の時刻ｔ５〜ｔ１２の処理と同じであるため、それらの説明は省略する。
【００４７】
なお、上述した動作は、第１制御部１０１が第２画像処理部２０４を直接制御する場合（端末装置１００にドライバをインストールすると判定された場合）の例である。第１制御部１０１が第２画像処理部２０４を直接制御しない場合（例えば、端末装置１００にドライバをインストールしないと判定された場合）には、時刻ｔ５〜ｔ１２の処理は行われず、時刻ｔ１０２から表示状態「ＤＰ表示」が維持される。
【００４８】
図５は、第２画像処理部２０４のドライバがインストールされており、ＤＰ信号を出力していない状態の端末装置１００が、表示装置２００に接続されたときの、表示システムの動作の一例を示すタイミングチャートである。なお、以下の説明における各時刻は、特にことわりが無い限り、図５に記載の時刻を意味する。
時刻ｔ０〜ｔ３の処理は、図４の時刻ｔ０〜ｔ３の処理と同じであるため、それらの説明は省略する。
時刻ｔ４で、第１制御部１０１は、表示装置２００（第２制御部２０１）からのＤＰ出力要求（ＤＰ信号の出力の要求）を受け付ける。第１制御部１０１は、ＤＰ出力要求に応じて、第１画像処理部１０４に生成処理の実行指示（表示用画像データとコマンド）を送る。それにより、第１画像処理部１０４で表示用画像データから第１画像信号を生成する処理が行われる。また、時刻ｔ４で、第１制御部１０１に、第２画像処理部２０４の情報が通知される。第１制御部１０１は、上記第２画像処理部２０４の情報を基に、第２画像処理部２０４を直接制御するためのドライバが既にインストールされていると判断する。そして、第１制御部１０１は、上記第２画像処理部２０４の情報を基に、第２画像処理部２０４のドライバを起動するか否かを検討する。ドライバを起動するか否かの判定方法（検討方法）は、図２を用いて説明した判定方法（ドライバをインストールするか否かの判定方法）と同じであるため、その説明は省略する。
時刻ｔ１０１、時刻ｔ１０２の処理は、それぞれ、図４の時刻ｔ１０１、時刻ｔ１０２
の処理と同じであるため、それらの説明は省略する。
第２画像処理部２０４のドライバを起動すると判定されると、時刻ｔ５で、第１制御部はドライバ（第２画像処理部２０４のドライバ）を起動する。
そして、時刻ｔ６、時刻ｔ７、時刻ｔ８の処理は、それぞれ、図４の時刻ｔ１０、時刻ｔ１１、時刻ｔ１２の処理と同じであるため、それらの説明は省略する。
【００４９】
なお、上述した動作は、第１制御部１０１が第２画像処理部２０４を直接制御する場合（第２画像処理部２０４のドライバを起動と判定された場合）の例である。第１制御部１０１が第２画像処理部２０４を直接制御しない場合（例えば、第２画像処理部２０４のドライバを起動しないと判定された場合）には、時刻ｔ５〜ｔ８の処理は行われず、時刻ｔ１０２から表示状態「ＤＰ表示」が維持される。
【００５０】
図６は、端末装置１００を表示装置２００に接続したときの表示システムの動作の一例を示すフローチャートである。
まず、Ｓ１０１で、ＴＢケーブル３００を用いて、端末装置１００が表示装置２００に接続される。図２の例では、時刻ｔ１にＳ１０１の処理が行われる。
次に、Ｓ１０２で、端末装置１００がＤＰ信号を出力し、表示装置２００が入力されたＤＰ信号に基づく画像を画像表示部２０９に表示する。図２の例では、時刻ｔ２にＳ１０２の処理による画像の表示が開始される。
そして、Ｓ１０３で、端末装置１００が、表示装置２００が有するＧＰＵ（第２画像処理部２０４）の性能を見積もる。図２の例では、時刻ｔ４にＳ１０３の処理が開始される。
【００５１】
次に、Ｓ１０４で、端末装置１００が、表示装置２００が有するＧＰＵ（第２画像処理部２０４）を直接制御するか否かを決める。本実施例では、第２画像処理部２０４の性能よりも第１画像処理部１０４の性能が高い場合に、端末装置１００は、第２画像処理部２０４を（直接）制御しないと判断する。そして、本処理フローが終了される（表示状態「ＤＰ表示」が維持される）。第１画像処理部１０４の性能よりも第２画像処理部２０４の性能が高い場合には、Ｓ１０５に処理が進められる。図２の例では、時刻ｔ５にＳ１０４の処理が完了し、Ｓ１０５に処理が進められる。
【００５２】
Ｓ１０５で、第１制御部１０１が、端末装置１００に第２画像処理部２０４のドライバがインストールされているか否かを判断する。端末装置１００に第２画像処理部２０４のドライバがインストールされている場合には、Ｓ１０６に処理が進められる。端末装置１００に第２画像処理部２０４のドライバがインストールされていない場合には、Ｓ１０７に処理が進められる。図２の例では、時刻ｔ５にＳ１０５の処理が開始され、Ｓ１０６に処理が進められる。図３の例では、時刻ｔ５にＳ１０５の処理が開始され、Ｓ１０７に処理が進められる。
【００５３】
Ｓ１０６で、第１制御部１０１が、端末装置１００に第２画像処理部２０４のドライバをインストールする処理を行う。そして、Ｓ１０７に処理が進められる。図２の例では、時刻ｔ５から時刻ｔ９までの期間にＳ１０６の処理が行われる。
Ｓ１０７で、第１制御部１０１が、端末装置１００にインストールされたドライバ（第２画像処理部２０４のドライバ）を起動する処理を行う。図２の例では、時刻ｔ９から時刻ｔ１０までの期間にＳ１０７の処理が行われる。
【００５４】
Ｓ１０７の次に、Ｓ１０８で、第１制御部１０１から第２画像処理部２０４へ、生成処理の実行指示（画像データとコマンド）が伝送される。具体的には、生成処理の実行指示を表すＰＣＩｅ信号が、ＴＢケーブル３００を介して、第１制御部１０１から第２画像処理部２０４へ伝送される。図２の例では、時刻ｔ１０にＳ１０８の処理が開始される。
そして、Ｓ１０９で、第２画像処理部２０４が、第１制御部１０１からの指示に応じて生成処理を開始する。図２の例では、時刻ｔ１１にＳ１０９の処理が開始される。
次に、Ｓ１１０で、第２制御部２０１が同期処理を行う。その後、第２制御部２０１が出力選択部２０８を制御することにより、第２画像処理部２０４で生成された第２画像信号が画像表示部２０９に伝送される。それにより、第１画像信号に基づく画像から第２画像信号に基づく画像へ表示が切り替えられる。図２の例では、時刻ｔ１１から時刻ｔ１２までの期間において、Ｓ１１０の処理が行われる。
【００５５】
Ｓ１１０の同期処理の詳細について、図７のフローチャートを用いて説明する。上述したように、同期処理は、「生成フレームの調整」と「Ｖｓｙｎｃの同期」を含む。また、Ｓ１１０では、「Ｖｓｙｎｃに同期した出力切り替え」も行われる。
【００５６】
（１）「生成フレームの調整」
「生成フレームの調整」は、出力選択部２０８に同じフレームの第２画像信号と第１画像信号を入力するための調整処理である。第２画像信号のフレームと第１画像信号のフレームとを合わせることにより、出力選択部２０８の出力を切り替えたときに、表示される画像のフレームがスキップすることを防ぐことができる。
図８は「生成フレームの調整」を説明するための説明図である。
図７，８を用いて、「生成フレームの調整」の一例を説明する。
【００５７】
まず、Ｓ１１１で、第２画像処理部２０４は、第１制御部１０１からの指示に応じて生成したＮフレーム分の第２画像信号を第２ＧＰＵメモリ部２０５に格納する。図８は、Ｎ＝４の例を示している。
次に、Ｓ１１２で、キャプチャ部２１２が、第１画像信号を取得し、第２画像処理部２０４へ出力する。第２画像処理部２０４は、キャプチャされた第１画像信号を第２ＧＰＵメモリ部２０５に格納する。図８は、キャプチャ（取得）した第１画像信号が互いに異なる２つの場合（Ｃａｓｅ１とＣａｓｅ２）を示している。
そして、Ｓ１１３で、第２画像処理部２０４は、第１制御部１０１からの指示に応じて生成したＭフレーム分の第２画像信号を第２ＧＰＵメモリ部２０５に格納する。ここで、第２ＧＰＵメモリ部２０５には、Ｎ＋Ｍフレーム分の第２画像信号およびキャプチャした第１画像信号が格納されている。図８は、Ｍ＝３の例を示している。
【００５８】
次に、Ｓ１１４で、第２画像処理部２０４は、キャプチャされた第１画像信号と、Ｎ＋Ｍフレームの第２画像信号との相関を求める。そして、第２画像処理部２０４は、上記Ｎ＋Ｍフレームの中から、キャプチャされた第１画像信号と最も相関が高いフレームを選択する。本実施例では、上記Ｎ＋Ｍフレームに対して、順番に１〜Ｎ＋Ｍの番号（フレーム番号）が割り当てられる。そして、キャプチャされた第１画像信号と最も相関が高いフレームの番号Ａが決定される。図８の例において、Ｃａｓｅ１の場合にはＡ＝３となり、Ｃａｓｅ２の場合にはＡ＝６となる。
２つのフレーム（２つの画像）の相関の度合いは、例えば、２画像間の画素毎の差の絶対値の総和から判断することができる。具体的には、上記総和が小さいほど相関が高いと判断することができる。そのため、キャプチャした第１画像信号の座標（ｘ，ｙ）における画素値をＰ０（ｘ，ｙ）、第２画像信号の座標（ｘ，ｙ）における画素値をＰ（ｘ，ｙ）とすると、以下の式１で得られる値が最も小さい第２画像信号のフレーム番号がＡとなる。
【数１】
2014085861.tif 000003
なお、第１画像信号と第２画像信号の解像度（画像サイズ）が異なる場合には、第１画像信号と第２画像信号の解像度を互いに等しくするスケーリング処理（拡大処理または縮小処理）を行うことにより、上記計算が可能となる。なお、スケーリング処理は、第１画像信号に施されてもよいし、第２画像信号に施されてもよい。
【００５９】
Ｓ１１４の次に、Ｓ１１５で、第２画像処理部２０４は、ＡがＮ以下か否かを判定する。ＡがＮ以下である場合、Ｓ１１６に処理が進められる。ＡがＮより大きい場合、Ｓ１１７に処理が進められる。図８の例において、Ｃａｓｅ１の場合には、ＡがＮ以下と判定され、Ｓ１１６に処理が進められる。Ｃａｓｅ２の場合には、ＡがＮより大きいと判定され、Ｓ１１７に処理が進められる。
Ｓ１１６では、第２画像処理部２０４の出力がＮ−Ａフレーム分遅延される。第２画像処理部２０４の出力は、第２ＧＰＵメモリ部２０５を用いて遅延される。図８の例において、Ｃａｓｅ１の場合には、Ａ＝３、Ｎ＝４であるため、第２ＧＰＵメモリ部２０５を用いて、第２画像処理部２０４の出力が１フレーム分遅延される。それにより、第２画像信号のフレームが第１画像信号のフレームと一致する。
Ｓ１１７では、第１画像処理部１０４の出力がＡ−Ｎフレーム分遅延される。第１画像処理部１０４の出力は、第１ＧＰＵメモリ部１０５を用いて遅延される。図８の例において、Ｃａｓｅ２の場合には、Ａ＝６、Ｎ＝４であるため、第１ＧＰＵメモリ部１０５を用いて、第１画像処理部１０４の出力が２フレーム分遅延される。それにより、第２画像信号のフレームが第１画像信号のフレームと一致する。
フレームの遅延は、例えば、ＡとＮの差を第２制御部２０１が取得し、第２制御部２０１が第２画像処理部２０４を制御したり、第２制御部２０１が第１画像処理部１０４を制御するよう第１制御部１０１に指示を送ることにより実現される。
なお、相関は第２制御部２０１により求められてもよい。
【００６０】
以上により、「生成フレームの調整」が完了する。
Ｓ１１６またはＳ１１７の次に、Ｓ１１８に処理が進められる。
【００６１】
（２）「Ｖｓｙｎｃの同期」
Ｓ１１８で、同期信号検出部２１０は、第２画像処理部２０４で生成された第２画像信号のＶｓｙｎｃ（垂直同期信号）を検知して、その発生時刻ｔｇを判断する。
次に、Ｓ１１９で、同期信号検出部２１０は、画像入力部２０６で得られた第１画像信号のＶｓｙｎｃを検知して、その発生時刻ｔｄｐを判断する。発生時刻ｔｇと発生時刻ｔｄｐは、同じフレームの第２画像信号と第１画像信号のＶｓｙｎｃの発生時刻である。
なお、同期信号検出部２１０は時刻ｔｇおよび時刻ｔｄｐをそれぞれ独立して判断できるものとする。このため、Ｓ１１９の処理の後にＳ１１８の処理が行われてもよい。
【００６２】
そして、Ｓ１２０で、時刻ｔｇおよび時刻ｔｄｐの値が第２制御部２０１に送られる。第２制御部２０１は、これらの値（時刻ｔｇおよび時刻ｔｄｐの値）を基に、第２画像処理部２０４を制御して、第２画像信号と第１画像信号の同期をとる。
例えば、時刻ｔｇと時刻ｔｄｐの差の絶対値が算出され、この絶対値が所定の閾値（メーカやユーザによって設定された閾値）より小さいか否かが判定される。そして、絶対値が所定の閾値より小さい場合には、第２画像信号と第１画像信号の同期がとれていると判断され、Ｓ１２４に処理が進められる。絶対値が所定の閾値以上である場合には、第２画像信号と第１画像信号の同期がとれていないと判断され、Ｓ１２１に処理が進められる。
なお、上記所定の閾値は、第１画像信号の垂直同期信号のフロントポーチ期間の長さよりも小さい値であることが好ましい。上記所定の閾値を第１画像信号の垂直同期信号のフロントポーチ期間の長さよりも小さい値とすることにより、画像表示部２０９の表示が切り替え時に乱れることを防止することができる。換言すれば、出力選択部２０８による第１画像信号から第２画像信号への出力信号の切り替えを、第１画像信号のブランク期間に
実施することができる。
【００６３】
Ｓ１２１では、第２制御部２０１が、時刻ｔｇと時刻ｔｄｐの前後関係を判断する。
ｔｇ＜ｔｄｐである場合（ｔｇがｔｄｐより前の時刻である場合）、第２画像信号の同期信号が第１画像信号よりも早まっている（第１画像信号の同期信号が第２画像信号よりも遅れている）ことが分かる。この場合は、Ｓ１２２に処理が進められる。Ｓ１２２では、第２制御部２０１が、第２画像信号の同期信号が時間（ｔｄｐ−ｔｇ）だけ遅れるように、第２画像処理部２０４を制御する。
ｔｇ＜ｔｄｐでない場合（ｔｇがｔｄｐより後の時刻である場合）、第２画像信号の同期信号が第１画像信号よりも遅れている（第１画像信号の同期信号が第２画像信号よりも早まっている）ことが分かる。この場合は、Ｓ１２３に処理が進められる。Ｓ１２３では、第２制御部２０１が、生成する第２画像信号のフレームが１フレーム先のフレームとなるように（生成するフレームが１つ省略されるように）、第２画像処理部２０４を制御する。これにより、第２画像信号の同期信号が第１画像信号の同期信号を追い越すこととなる。
Ｓ１２１と、それに続くＳ１２２またはＳ１２３との処理が実行された後に、Ｓ１１８からの処理が再度行われる。そして、Ｓ１２０で第１画像信号と第２画像信号の同期がとれていると判断された場合に、Ｓ１２４に処理が進められる。
【００６４】
（３）「Ｖｓｙｎｃに同期した出力切り替え」
Ｓ１２４で、同期信号検出部２１０が第２画像処理部２０４からのＶｓｙｎｃを検出したタイミングで、第２制御部２０１が出力選択部２０８を制御する。それにより、第２画像信号のＶｓｙｎｃ（第１画像信号のＶｓｙｎｃと同期のとれたＶｓｙｎｃ）に同期して、画面表示部２０８の表示が第１画像信号に基づく画像から第２画像信号に基づく画像に切り替えられる。
【００６５】
以上述べたように、本実施例によれば、表示装置の画像処理プロセッサを表示に用いる場合において、端末装置と表示装置の接続後により短時間で画像を表示することができる。
なお、本実施例では、端末装置が１本のケーブルを用いて表示装置に接続される場合の例を示したが、これに限らない。ＰＣＩｅ信号の伝送と、ＤＰ信号の伝送とは、互いに異なるケーブルを用いて伝送されてもよい。
なお、同期処理は行わなくてもよい。そのような構成であっても上記効果を得ることができる。同期処理を行い、第２画像信号の垂直同期信号に同期して画像を切り替えれば、画像の切り替え時における表示の乱れを抑制することができる。
【００６６】
＜実施例２＞
以下、本発明の実施例２について説明する。なお、以下では、実施例１と異なる機能について詳しく説明し、実施例１と同じ機能については説明を省略する。
実施例１では、画像表示部２０９の表示を第１画像信号に基づく画像から第２画像信号に基づく画像へ切り替える例を示した。
本実施例では、この表示の切り替えの際に、表示が急変しないように画像処理を行う例を説明する。
【００６７】
図９は、本実施例に係る表示システムの一例を示す図である。実施例１と同じ機能には同じ符号を付し、その説明は省略する。
【００６８】
第２制御部４０１は、実施例１の第２制御部２０１の機能の他に、第２画像処理部４０４が画像信号を生成する際に使用する処理パラメータの少なくとも一部を端末装置１００に通知する機能を有する。具体的には、第２制御部４０１は、処理パラメータを表すＰＣ
Ｉｅ信号をＴＢケーブル３００を介して端末装置１００に伝送する。処理パラメータは、第２画像信号の輝度特性と色特性の少なくともいずれかを決めるパラメータである。例えば、処理パラメータは、第２画像信号の色空間やγ値などを表す情報である。
なお、本実施例では、処理パラメータは、第１制御部１０１で取得されるものとするが、第１制御部１０１以外の機能部により取得されてもよい。例えば、処理パラメータは、不図示の取得部（端末装置１００が有する取得部）により取得されてもよい。また、端末装置１００が処理パラメータを表示装置４００から取得するのではなく、ユーザによって端末装置１００に処理パラメータが入力されてもよい。
【００６９】
第２画像処理部４０４は、実施例１の画像処理部２０４の機能の他に、生成した第２画像信号を合成部４１３に出力し、合成結果（後述する合成画像信号）を受け取る機能を有する。本実施例では、第２画像処理部４０４は、生成した第２画像信号を合成部４１３に出力し、合成結果（後述する合成画像信号）を受け取る。そして、第２画像処理部４０４は、受け取った合成画像信号を出力選択部２０８に出力する。また、本実施例では、第２画像処理部４０４で第２画像信号が生成された後に、画像表示部２０９で表示する画像が、第１画像処理部１０４で生成された第１画像信号に基づく画像から、合成部４１３で生成された合成画像信号に基づく画像に切り替えられる。それにより、画像表示部２０９で表示する画像を、第１画像処理部１０４で生成された第１画像信号に基づく画像から、第２画像処理部４０４で生成された第２画像信号に基づく画像に徐々に変化させることができる。なお、表示の切り替え方法は実施例１と同じである。
キャプチャ部４１２は、実施例１のキャプチャ部１１２の機能の他に、取得した第１画像信号を合成部４１３に出力する機能を有する。
【００７０】
合成部４１３は、第２画像処理部４０４で生成された第２画像信号と、第１画像処理部１０４で生成された第１画像信号とを合成することにより、合成画像信号を生成する。具体的には、合成部４１３は、第２画像処理部４０４およびキャプチャ部４１２から入力された画像信号を合成することにより、合成画像信号を生成する。そして、合成部４１３は、合成画像信号を第２画像処理部４０４に出力する。
また、本実施例では、合成部４１３は、第１画像信号から第２画像信号へ合成画像信号が徐々に変化するように、合成画像信号における第１画像信号の割合を徐々に低減する。
合成部４１３の動作の詳細は後述する。
【００７１】
遅延部４１４は、画像入力部２０６で得られた第１画像信号を遅延させる機能を有する。具体的には、遅延部４１４は、合成部４１３による処理（合成画像信号を生成する処理）に要する時間に対応する遅延時間を第１画像信号に与える処理を行う。
【００７２】
なお、本実施例では、「Ｖｓｙｎｃの同期」は、合成部４１３で生成される合成画像信号の垂直同期信号と、第１画像処理部１０４で生成される画像信号の垂直同期信号との同期をとる処理である。本実施例に係る「Ｖｓｙｎｃの同期」の方法は、実施例１の「Ｖｓｙｎｃの同期」と同様である。具体的には、合成画像信号のＶｓｙｎｃの発生時刻が、時刻ｔｇとして判断される。そして、ｔｇ＜ｔｄｐである場合に、合成画像信号の同期信号が時間（ｔｄｐ−ｔｇ）だけ遅れるように、第２画像処理部２０４が制御される。他の処理は、実施例１と同じである。
そして、本実施例では、同期処理後に合成部４１３で生成された合成画像信号の垂直同期信号に同期して、画像表示部２０９で表示する画像が、第１画像信号に基づく画像から、合成画像信号に基づく画像に切り替えられる。
なお、合成部４１３による処理に要する時間分の遅延は、遅延部４１４によって第１画像信号に与えられるのではなく、「Ｖｓｙｎｃの同期」において与えられてもよい。
【００７３】
図１０は、第２画像処理部４０４が使用する処理パラメータを端末装置１００に通知す
る処理に関連した表示システムの動作の一例を示すフローチャートである。
まず、Ｓ２０１で、端末装置１００が、ＴＢケーブル３００を用いて表示装置４００に接続される。
次に、Ｓ２０２で、第２画像処理部４０４が使用する処理パラメータの少なくとも一部が、端末装置１００（第１制御部１０１）に通知される。
そして、Ｓ２０３で、第１制御部１０１が、第２画像処理部４０４が使用する処理パラメータ（Ｓ２０２で通知された処理パラメータ）を、第１画像処理部１０４で使用する処理パラメータとして設定する。これにより、第１画像処理部１０４に、第２画像処理部４０４が使用する処理パラメータを用いた生成処理を行わせることが可能となる。第１画像処理部１０４にそのような生成処理を行わせることにより、第１画像信号に基づく画像から第２画像信号に基づく画像に表示を切り替えた際に、画像の色や輝度が急激に変化することを抑制することができる。なお、第１制御部１０１は、第２画像処理部４０４を用いると判断した場合にのみ、第１画像処理部１０４に第２画像処理部４０４が使用する処理パラメータを用いた生成処理を行わせてもよい。
第１制御部１０１からの指示に応じて第１画像処理部１０４が第１画像信号を生成すると、Ｓ２０４で、生成された第１画像信号がＤＰ信号に変換され、ＴＢケーブル３００を介して表示装置４００に出力される。画像入力部２０６によりＤＰ信号が第１画像信号に変換される。そして、第１画像信号を出力選択部２０８を介して画像表示部２０９に伝送することにより、第１画像信号に基づく画像が表示される。
【００７４】
図１１は、合成画像信号を生成する処理に関連した表示システムの動作の一例を示すフローチャートである。
まず、Ｓ２１１で、表示用画像データから生成された第１画像信号と第２画像信号を合成する際の割合Ｂ（合成画像信号における第２画像信号の割合）を０に初期化する。Ｂは０以上１以下の値である。即ち、Ｓ２１１では、合成画像信号における第１画像信号の割合が１に初期化される。
次に、Ｓ２１２で、合成部４１３は、割合Ｂを用いて第１画像信号と第２画像信号を合成（ブレンド）することにより、合成画像信号を生成する。具体的には、第１画像信号：第２画像信号＝（１−Ｂ）：Ｂの割合で、第１画像信号と第２画像信号を合成する。そして、合成部４１３は、生成した合成画像信号を第２画像処理部４０４に出力する。第２画像処理部４０４は、出力選択部２０８を介して画像表示部２０９に合成画像信号を出力する。それにより、合成画像信号に基づく画像が表示される。一回目の処理では、Ｂ＝０であるため、合成部４１３で生成される合成画像信号は、第１画像信号と一致する。即ち、一回目の処理の後に、表示が第１画像信号に基づく画像から合成画像信号に基づく画像に切り替えられるが、合成画像信号は第１画像信号と一致するため、表示は変わらない。
Ｓ２１２の次に、Ｓ２１３で、合成部４１３は、割合Ｂが１と等しいか否かを判定する。割合Ｂが１でない場合には、合成部４１３が割合Ｂに所定値を加算し、Ｓ２１２へ処理が戻される。合成部４１３が割合Ｂに所定値を加算する処理は、合成画像信号における第１画像信号の割合を所定値だけ低減する処理と等価である。割合Ｂが１と等しい場合には、合成画像信号は第２合成画像信号と一致する。この場合、合成部４１３は合成画像信号を生成する処理を終了する。合成画像信号を生成する処理が終了された後は、第２画像処理部４０４は、出力選択部２０８を介して画像表示部２０９に第２画像信号を出力する。
【００７５】
以上述べたように、本実施例によれば、実施例１と同様に、表示装置の画像処理プロセッサを表示に用いる場合において、端末装置と表示装置の接続後により短時間で画像を表示することができる。さらに、第２画像信号を生成する際に使用される処理パラメータを用いて第１画像信号が生成される。そのため、第１画像信号に基づく画像から第２画像信号に基づく画像へ表示を切り替えた場合に、画像の色や輝度が急激に変化することを抑制することができる。また、第１画像信号に基づく画像から合成画像信号に基づく画像へ表示が切り替えられる。第１画像信号に基づく画像から第２画像信号に基づく画像へ表示を
切り替えた場合に、画像の色や輝度が急激に変化することを抑制することができる。
なお、実施例１に、第２画像信号を生成する際に使用される処理パラメータを用いて第１画像信号を生成する機能と、第１画像信号に基づく画像から合成画像信号に基づく画像へ表示を切り替える機能とのいずれか一方が追加されてもよい。
なお、同期処理は行わなくてもよい。そのような構成であっても上記効果を得ることができる。同期処理を行い、合成画像信号の垂直同期信号に同期して画像を切り替えれば、画像の切り替え時における表示の乱れを抑制することができる。
【符号の説明】
【００７６】
１００  端末装置
１０１  第１制御部
１０４  第１画像処理部
２００，４００  表示装置
２０４，４０４  第２画像処理部
２０８  出力選択部
２０９  画像表示部
【図１】
2014085861.tif 000004
【図２】
2014085861.tif 000005
【図３】
2014085861.tif 000006
【図４】
2014085861.tif 000007
【図５】
2014085861.tif 000008
【図６】
2014085861.tif 000009
【図７】
2014085861.tif 000010
【図８】
2014085861.tif 000011
【図９】
2014085861.tif 000012
【図１０】
2014085861.tif 000013
【図１１】
2014085861.tif 000014